(57)【要約】【課題】電子機器を支持装置から取り外す際のコネクタへの負荷を軽減することができる支持装置、電子機器システムおよび電子機器を提供する。【解決手段】この電子機器システムは、クレイドル装置（支持装置）２０と、クレイドル装置２０に対して着脱可能なポータブルコンピュータ（電子機器）とを備え、クレイドル装置２０の底壁２２ｄの中心から底壁２２ｄの面上を所定の方向に第１の距離だけ離れた位置に、ポータブルコンピュータに設けられたコネクタ（第１の外部接続端子）に接続する、コネクタ（第２の外部接続端子）４０が設けられ、底壁２２ｄの中心から底壁２２ｄの面上を所定の方向とは反対の方向に第２の距離だけ離れた位置に、ポータブルコンピュータに設けられた係合穴部に係止するフック５０が設けられている。ポータブルコンピュータをクレイドル装置２０に装着する際、ポータブルコンピュータの姿勢が制限され、コネクタの負担が軽減される。【選択図】図３
2009157569.tif 000002
【特許請求の範囲】
【請求項１】
一端と、この一端と反対側の他端とを有し、かつ所定の幅の電子機器を搭載するための載置面を有した筐体と、
前記筐体の前記載置面側に設けられ、前記載置面の中心から前記載置面上を前記一端側に第１の距離だけ離れた位置に設けられた前記電子機器と接続するための外部接続端子と、
前記筐体の前記載置面側に設けられ、前記載置面の中心から前記載置面上を前記他端側に第２の距離だけ離れた位置に設けられた爪部を有する係止片と、
を備えたことを特徴とする支持装置。
【請求項２】
前記係止片の前記爪部は、
前記一端側に向けられた状態で前記載置面から突出した第１の状態と、
少なくとも一部が前記載置面から突出した状態のままで、前記載置面から垂直方向に突出した第２の状態との間で、所定の力を加えながら前記第１の状態から第２の状態へ回転可能に弾性支持されていることを特徴とする請求項１に記載の支持装置。
【請求項３】
前記筐体は、前記一端から前記他端へ向けて延設され、前記電子機器の前記所定の幅よりも広い幅を有した後壁と、この後壁の両端部に設けられた一対の側壁とを有することを特徴とする請求項１に記載の支持装置。
【請求項４】
前記一対の側壁における前記搭載面からの高さは、前記一端側の側壁の方が前記他端側の側壁よりも高いことを特徴とする請求項３に記載の支持装置。
【請求項５】
第１の面を有した第１の筐体と、前記第１の面側に設けられ、前記第１の面の中心から前記第１の面上を所定の方向に第１の距離だけ離れた位置に設けられた第１の外部接続端子と、前記第１の面に設けられ、前記中心から前記第１の面上を前記所定の方向とは反対の方向に第２の距離だけ離れた位置に設けられた係合穴部とを備えた電子機器と、
一端と、この一端と反対側の他端とを有し、かつ所定の幅の前記電子機器を搭載するための載置面を有した第２の筐体と、前記第２の筐体の前記載置面側に設けられ、前記載置面の中心から前記載置面上を前記一端側に第１の距離だけ離れた位置に設けられた前記電子機器と接続するための第２の外部接続端子と、前記第２の筐体の前記載置面側に設けられ、前記載置面の中心から前記載置面上を前記他端側に第２の距離だけ離れた位置に設けられた爪部を有する係止片とを備えた支持装置とを有する電子機器システム。
【請求項６】
第１の面を有した筐体と、
前記第１の面側に設けられ、前記第１の面の中心から前記第１の面上を所定の方向に第１の距離だけ離れた位置に設けられた外部接続端子と、
前記第１の面に設けられ、前記中心から前記第１の面上を前記所定の方向とは反対の方向に第２の距離だけ離れた位置に設けられた係合穴部と、
を備えたことを特徴とする電子機器。
【発明の詳細な説明】
【技術分野】
【０００１】
本発明は、支持装置、電子機器システムおよび電子機器に関する。
【背景技術】
【０００２】
電子カメラ等の電子機器に電源を供給する用途や電子機器とパーソナルコンピュータ等とを通信接続する用途として、クレイドル装置が知られている（例えば、特許文献１参照。）。
【０００３】
特許文献１に記載されたクレイドル装置は、電子機器に設けられたソケット部（コネクタともいう）に接続するコネクタと、電子機器の設置に伴って退避する退避部材とを備える。この構成によれば、電子機器をクレイドル装置に設置するのに伴って退避部材が退避してコネクタが初めて露出するので、電子機器をクレイドル装置に設置していない状態で、コネクタが外部に露出するのを防ぐことができる。
【特許文献１】特開２００３−６８３９４号公報
【発明の開示】
【発明が解決しようとする課題】
【０００４】
しかし、従来のクレイドル装置では、コネクタでのみ電子機器を保持しているため、電子機器をクレイドル装置から取り出すときに、コネクタに余計な負荷を掛けてコネクタを破損するおそれがある。
【０００５】
従って、本発明の目的は、電子機器を支持装置から取り外す際のコネクタへの負荷を軽減することができる支持装置、電子機器システムおよび電子機器を提供することにある。
【課題を解決するための手段】
【０００６】
本発明は、上記目的を達成するため、以下の支持装置、電子機器システムおよび電子機器を提供する。
【０００７】
［１］一端と、この一端と反対側の他端とを有し、かつ所定の幅の電子機器を搭載するための載置面を有した筐体と、前記筐体の前記載置面側に設けられ、前記載置面の中心から前記載置面上を前記一端側に第１の距離だけ離れた位置に設けられた前記電子機器と接続するための外部接続端子と、前記筐体の前記載置面側に設けられ、前記載置面の中心から前記載置面上を前記他端側に第２の距離だけ離れた位置に設けられた爪部を有する係止片と、を備えたことを特徴とする支持装置。
【０００８】
［２］第１の面を有した第１の筐体と、前記第１の面側に設けられ、前記第１の面の中心から前記第１の面上を所定の方向に第１の距離だけ離れた位置に設けられた第１の外部接続端子と、前記第１の面に設けられ、前記中心から前記第１の面上を前記所定の方向とは反対の方向に第２の距離だけ離れた位置に設けられた係合穴部とを備えた電子機器と、一端と、この一端と反対側の他端とを有し、かつ所定の幅の前記電子機器を搭載するための載置面を有した第２の筐体と、前記第２の筐体の前記載置面側に設けられ、前記載置面の中心から前記載置面上を前記一端側に第１の距離だけ離れた位置に設けられた前記電子機器と接続するための第２の外部接続端子と、前記第２の筐体の前記載置面側に設けられ、前記載置面の中心から前記載置面上を前記他端側に第２の距離だけ離れた位置に設けられた爪部を有する係止片とを備えた支持装置とを有する電子機器システム。
【０００９】
［３］第１の面を有した筐体と、前記第１の面側に設けられ、前記第１の面の中心から前記第１の面上を所定の方向に第１の距離だけ離れた位置に設けられた外部接続端子と、前記第１の面に設けられ、前記中心から前記第１の面上を前記所定の方向とは反対の方向に第２の距離だけ離れた位置に設けられた係合穴部と、を備えたことを特徴とする電子機器。
【発明の効果】
【００１０】
本発明によれば、電子機器を支持装置から取り外す際のコネクタへの負荷を軽減することができる。
【発明を実施するための最良の形態】
【００１１】
［第１の実施の形態］
図１は、本発明の第１の実施の形態に係る電子機器システムの斜視図、図２は、電子機器システムを構成するポータブルコンピュータの斜視図、図３は、電子機器システムを構成するクレイドル装置の斜視図である。
【００１２】
（電子機器システム）
この電子機器システム１は、図１に示すように、主に机上や天板等に置かれて使用されるクレイドル装置（支持装置）２０と、クレイドル装置２０に対して着脱可能なタブレット型のポータブルコンピュータ（電子機器）１０とを有して構成されている。
【００１３】
（ポータブルコンピュータ）
ポータブルコンピュータ（以下、単に「コンピュータ」ともいう。）１０は、クレイドル装置２０から取り外された状態でバッテリ駆動が可能となっている。また、ポータブルコンピュータ１０は、図１、図２に示すように、前面１１ａ、側面１１ｂ，１１ｂ、底面（第１の面）１１ｃ、上面１１ｄおよび背面１１ｅを有する略矩形状の本体（第１の筐体）１１を備える。
【００１４】
本体１１の前面１１ａには、そのほぼ中央に重合配置された後述するＬＣＤ（Liquid Crystal Display）およびタブレットからなる表示部１２が配置され、表示部１２の下側には、カーソルキー１３、左クリックスイッチ１４Ａおよび右クリックスイッチ１４Ｂが配置され、表示部１２の上側には、マイク１５が配置されている。
【００１５】
本体１１の右側の側面１１ｂには、電源スイッチ１６およびＵＳＢ（Universal Serial Bus）端子１７が配置され、本体１１の底面１１ｃには、コネクタ（第１の外部接続端子）１８と係合穴部１９が配置されている。このコネクタ１８は、底面１１ｃの中心から底面１１ｃの面上をＵＳＢ端子１７側に第１の距離だけ離れた位置に設けられている。また、係合穴部１９は、底面１１ｃの中心から底面１１ｃの面上をＵＳＢ端子１７側とは反対の方向に第２の距離だけ離れた位置に設けられている。また、底面１１ｃの内側に、コンピュータ１０のクレイドル装置２０からの離脱を磁気的に検出するための磁性体（図示せず）が配置されている。
【００１６】
コネクタ１８は、クレイドル装置２０に設けられた図３に示すコネクタ（第２の外部接続端子）４０に接続するものであり、底面１１ｃから突出しないように、図２において底面１１ｃの中心から右方向にずれた位置に設けられている。
【００１７】
係合穴部１９は、クレイドル装置２０に設けられた図３に示すフック（係止片）５０が係止するものであり、図２において底面１１ｃの中心から左方向にずれた位置に設けられている。
【００１８】
（クレイドル装置）
クレイドル装置２０は、コンピュータ１０に電源を供給する機能と、ノート型パソコン、外部記憶装置等の外部装置との通信によりコンピュータ１０に拡張性を持たせる機能とを有する。なお、クレイドル装置２０は、上記の機能に限定されず、例えば、クレイドル装置自体がパソコンや外部記憶装置等の電子機器であってもよい。また、クレイドル装置２０は、図１、図３に示すように、各種の基板を内蔵する筐体（第２の筐体）２１と、筐体２１に固定され、コンピュータ１０を支持するスタンド２２とを備える。
【００１９】
筐体２１は、側壁２１ａ、前壁２１ｂ、後壁２１ｃ、上壁２１ｄ、および後述する底壁２１ｅを有する。底壁２１ｅ上にはスタンド２２の底壁２２ｄが設けられている。筐体２１の底壁２１ｅにはコネクタ４０が取り付けられている。このコネクタ４０は、筐体２１の底壁２１ｅに設けられ、底壁２１ｅの中心から底壁２１ｅ上を一端側（図３の前壁２１ｂ側から見た右側の側壁２１ａ側）に第１の距離だけ離れた位置に設けられている。
【００２０】
スタンド２２は、コンピュータ１０をクレイドル装置２０に装着する際のガイドとなる一対の側壁２２ａ、前壁２２ｂおよび後壁２２ｃと、コンピュータ１０の底面１１ｃが当接する底壁２２ｄとを有する。底壁２２ｄの上面がコンピュータ１０を搭載するための載置面となる。スタンド２２は、筐体２１にネジによって固定されているが、筐体２１と一体的に形成されていてもよい。また、スタンド２２を設けずに、筐体２１にコンピュータ１０をガイドする窪みを設けてもよく、この場合には筐体２１の底壁２１ｅの上面がコンピュータ１０を搭載するための載置面となる。なお、前壁２２ｂは、左右にのみ設けられているが、カーソルキー１３、左クリックスイッチ１４Ａおよび右クリックスイッチ１４Ｂの操作性を損なうことがなければ、左右一対の側壁２２ａを接続するように連続的に設けられていてもよい。
【００２１】
側壁２２ａおよび前壁２２ｂは、後壁２２ｃよりも高さを低くしているが、コンピュータ１０に設けられたコネクタ１８がクレイドル装置２０に設けられたコネクタ４０に接触するよりも先にコンピュータ１０の下部外周部の位置を規制し得る高さを有する。
【００２２】
底壁２２ｄには、図３に示すコネクタ４０を挿通させるための開口２２ｅと、図３に示すフック５０を挿通させるための開口２２ｆとが形成されている。このフック５０は、スタンド２２の底壁２２ｄに設けられており、底壁２１ｅの中心から底壁２１ｅ上を他端側（図３の前壁２１ｂ側から見た左側の側壁２１ａ側）に第２の距離だけ離れた位置に設けられている。
【００２３】
図４は、クレイドル装置２０を底面側から見た斜視図である。同図は、筐体２１の底面を閉塞する底板の図示を省略している。筐体２１は、側壁２１ａ、前壁２１ｂ、後壁２１ｃを補強するため、上壁２１ｄから補強片２１ｆが形成されている。上壁２１ｄには、ネジ穴２１１ａが形成されたスタッド２１１が突設しており、底板がビスによってネジ穴２１１ａに固定される。
【００２４】
筐体２１の上壁２１ｄには、メイン基板３００が取り付けられ、底壁２１ｅには、サブ基板４００が取り付けられている。
【００２５】
底壁２１ｅは、山形状に湾曲した形状を有し、フック５０を収納するフック収納部２１４と、スタンド２２に設けられた位置決め突起２２ｇが嵌合する四角穴（図示せず）と、サブ基板４００およびスタンド２２を取り付けるための取付け穴（図示せず）と、底板を固定するためのスタッド２１１とが設けられている。
【００２６】
メイン基板３００には、筐体２１の後壁２１ｃに露出するように電源端子部３０１、ＵＳＢ端子３０２およびミニＵＳＢ端子３０３が実装され、図示しない底板とのスペースを確保するためのスペーサ３０４と、サブ基板４００とを接続するコネクタ３０５が取り付けられている。
【００２７】
サブ基板４００の裏面には、プレート４４と、プレート４４上に設けられ、図示しない底体に対して弾性的に押圧するスポンジ，ゴム等からなる弾性体４５と、メイン基板３００とを接続するコネクタ４３が取り付けられている。メイン基板３００上のコネクタ３０５とは、フレキシブル配線基板３０６によって接続されている。
【００２８】
図５は、サブ基板４００の斜視図である。サブ基板４００には、コネクタ４０と、コネクタ４０が取り付けられる台座４１と、磁気センサ４２とが実装され、取付け穴４００ａと、位置決め穴４００ｂが形成されている。コネクタ４０は、相手のコネクタ１８の接続位置にコネクタ４０を案内する一対の角錘状の案内部４０ａが設けられている。コネクタ４０と相手のコネクタ１８との接続位置のずれ量が案内部４０ａによって案内することができる範囲内であれば、サブ基板４００が水平移動してコネクタ４０を相手のコネクタ１８に接続することができる。なお、案内部はコネクタ１８，４０の両方に設けられていてもよく、相手のコネクタ１８にのみ設けられていてもよい。
【００２９】
磁気センサ４２は、コンピュータ１０に設けられた磁性体との距離に応じて、コンピュータ１０のクレイドル装置２０からの離脱を磁気的に検出する。なお、磁気センサ４２をコンピュータ１０に設け、磁性体をクレイドル装置２０に設けてもよい。
【００３０】
（フック）
図６は、フックの構造例を示し、（ａ）は分解斜視図、（ｂ）は組立状態を示す断面図である。フック５０は、ベース部５０ａと、ベース部５０ａの上方に設けられた爪部５０ｂと、ベース部５０ａの下方に設けられた軸部５０ｃとから構成され、樹脂等の材料により一体成型により形成されている。爪部５０ｂは、傾斜面５０ｄと水平面５０ｅを有する。
【００３１】
軸部５０ｃをスタンド２２の底壁２２ｄの下面側に設けられた図示しない軸受け部に軸支させ、巻きバネ５１をフック５０の軸部５０ｃに装着し、巻きバネ５１の一方のＬ字状の端部５１ａをフック５０のベース部５０ａに係止し、他方の直線状の端部５１ｂをスタンド２２の底壁２２ｄの下面に当接するように組み立てる。
【００３２】
巻きバネ５１は、図６（ｂ）に示す矢印方向と反対の方向へ弾性的な回転力をフック５０に与えている。これにより、フック５０の爪部５０ｂは、少なくとも一部が底壁２２ｄから突出した第１の状態のままで、底壁２２ｄから垂直方向に突出した第２の状態との間で、所定の力を加えながら第１の状態から第２の状態へ回転可能に弾性支持されている。なお、巻きバネ５１は、引っ張りバネ、または圧縮バネによってフック５０に巻きバネ５１と同様の回転力を与えてもよい。
【００３３】
（ポータブルコンピュータのシステム構成）
図７は、ポータブルコンピュータ１０のシステム構成を示すブロック図である。本コンピュータ１０は、ＣＰＵ１１１、ノースブリッジ１１２、主メモリ１１３、グラフィックスコントローラ１１４、ＬＣＤ１２ａ、タブレット１２ｂ、サウスブリッジ１１６、ＢＩＯＳ−ＲＯＭ１２０、ネットワークコントローラ１２５、ハードディスクドライブ（ＨＤＤ）１３０、コネクタ１８、エンベデッドコントローラ／キーボードコントローラＩＣ（ＥＣ／ＫＢＣ）１７０および電源回路１８０等から構成されている。
【００３４】
ＣＰＵ１１１は、本コンピュータ１０の動作を制御するプロセッサである。ＣＰＵ１１１は、ＨＤＤ１３０から主メモリ１１３にロードされるオペレーティングシステムおよび各種アプリケーションプログラムを実行する。また、ＣＰＵ１１１は、ＢＩＯＳ−ＲＯＭ１２０に格納されたシステムＢＩＯＳ（Basic Input Output System）も実行する。システムＢＩＯＳは、ハードウェア制御ためのプログラムである。
【００３５】
ノースブリッジ１１２は、ＣＰＵ１１１のローカルバスとサウスブリッジ１１６との間を接続するブリッジデバイスである。また、ノースブリッジ１１２は、ＡＧＰ（Acceler ated Graphics Port）バスなどを介してグラフィックスコントローラ１１４との通信を実行する機能も有している。さらに、ノースブリッジ１１２には、主メモリ１１３を制御するメモリコントローラも内蔵されている。
【００３６】
グラフィックスコントローラ１１４は、本コンピュータ１０のディスプレイモニタとして使用されるＬＣＤ１２ａを制御する表示コントローラである。また、グラフィックスコントローラ１１４は、オペレーティングシステムまたはアプリケーションプログラムによってビデオメモリ（ＶＲＡＭ）１１４Ａに書き込まれたデータをＬＣＤ１２ａに表示する。
【００３７】
サウスブリッジ１１６は、ＨＤＤ１３０を制御するためのＩＤＥ（Integrated Drive Ele ctronics）コントローラ、およびＵＳＢ端子１７を制御するＵＳＢコントローラ１１７を内蔵している。また、サウスブリッジ１１６は、ＰＣＩ（Peripheral Component Interconnect）バス２およびＬＰＣ（Low Pin Count）バス３にそれぞれ接続されている。
【００３８】
ＰＣＩバス２には、ネットワークコントローラ１２５が接続されている。ネットワークコントローラ１２５は、ＬＡＮポート１２６に接続されるＬＡＮケーブルを介して、外部のネットワーク機器との通信を実行する。
【００３９】
ＥＣ／ＫＢＣ１７０は、電源管理のためのエンベデッドコントローラ（ＥＣ）と、タブレット１２ｂ、カーソルキー１３、左クリックスイッチ１４Ａおよび右クリックスイッチ１４Ｂ等を制御するキーボードコントローラ（ＫＢ）とが集積されたワンチップマイクロコンピュータである。このＥＣ／ＫＢＣ１７０は、電源回路１８０と協調して動作することにより、ユーザによる電源スイッチ１６の操作に応じて本コンピュータ１０を電源オン／電源オフする機能を有している。
【００４０】
電源回路１８０は、ＡＣアダプタ１８２を介して供給される外部電源、または充電可能なバッテリ１８１を用いて、本コンピュータ１０の各コンポーネントに供給すべきシステム電源を生成する。
【００４１】
本コンピュータ１０は、上述したようにコネクタ１８を介してクレイドル装置２０に接続される。コネクタ１８，４０には、例えば、５０個程度のピンが設けられている。これらのピンには、クレイドル装置２０から本コンピュータ１０に動作電源を供給するための幾つかの電源ピン、ＵＳＢ信号線群に接続される幾つかの信号ピンが定義されている。
【００４２】
（装着動作）
図８（ａ）〜（ｃ）は、本コンピュータ１０のクレイドル装置２０への装着動作を示す。本コンピュータ１０をスタンド２２の後壁２２ｄに沿って矢印Ａ方向に押し下げる。装着前の段階では、図８（ａ）に示すように、フック５０は、巻きバネ５１によって付勢されて起立状態にある。本コンピュータ１０を下方Ａへ押し下げると、係合穴部１９の縁がフック５０の傾斜面５０ｄに当接し、フック５０に同図矢印方向Ｂへ回転しようとする反力を発生させる。この反力によってフック５０が巻きバネ５１のバネ力に抗して同図矢印方向Ｂへ回転し、さらに本コンピュータ１０を押し下げると、コネクタ４０は、本コンピュータ１０側のコネクタ１８に装着し、フック５０は、巻きバネ５１のバネ力によって元の状態に復帰して係合穴部１９に係合する。
【００４３】
（離脱動作）
図９（ａ）〜（ｃ）は、本コンピュータ１０のクレイドル装置２０からの離脱動作を示す。本コンピュータ１０をクレイドル装置２０から取り外すためには、コンピュータ１０を水平にそのまま持ち上げたり、フック５０側を持ち上げたのでは、係合穴部１９の縁がフック５０の爪部５０ｂの水平面５０ｅに当接し、フック５０を回転させることができないため、コンピュータ１０を取り外すことが難しくなる。そこで本コンピュータ１０を図９（ａ）に示すように、上方向Ｃへ持ち上げながら、図９（ｂ）に示すように、コネクタ１８側をＤ方向へ持ち上げるようにすると、フック５０が同図矢印方向Ｂに回転し、フック５０が係合穴部１９から外れ、コンピュータ１０をクレイドル装置２０から取り外すことができる。
【００４４】
（第１の実施の形態の効果）
第１の実施の形態によれば、コネクタ４０とは反対側にフック５０を設けたので、コンピュータ１０をクレイドル装置２０から取り外す際のコンピュータ１０の姿勢が制限され、コネクタ１８，４０への負荷を軽減することができる。
【００４５】
［第２の実施の形態］
図１０は、本発明の第２の実施の形態に係る電子機器システムの斜視図である。第１の実施の形態では、スタンド２２の側壁２２ａが左右が同じ高さを有しているが、本実施の形態は、コネクタ４０側の側壁２２ａが他方の側壁２２ａよりも高くしている。
【００４６】
第２の実施の形態によれば、右側の側壁２２ａによってコンピュータ１０をクレイドル装置２０から取り外す際に、コンピュータ１０の右側への傾きが制限されるので、フック５０の離脱が容易となり、コンピュータ１０が取り外し易くなる。
【００４７】
なお、本発明は、上記実施の形態に限定されず、その発明の趣旨を逸脱しない範囲内において種々な変形が可能である。
【図面の簡単な説明】
【００４８】
【図１】図１は、本発明の第１の実施の形態に係る電子機器システムの斜視図である。
【図２】図２は、電子機器システムを構成するポータブルコンピュータの斜視図である。
【図３】図３は、電子機器システムを構成するクレイドル装置の斜視図である。
【図４】図４は、クレイドル装置を底面側から見た斜視図である。
【図５】図５は、サブ基板の斜視図である。
【図６】図６は、フックの構造例を示し、（ａ）は分解斜視図、（ｂ）は組立状態を示す断面図である。
【図７】図７は、ポータブルコンピュータのシステム構成を示すブロック図である。
【図８】図８（ａ）〜（ｃ）は、本コンピュータのクレイドル装置への装着動作を示す図である。
【図９】図９（ａ）〜（ｃ）は、本コンピュータのクレイドル装置からの離脱動作を示す図である。
【図１０】図１０は、本発明の第２の実施の形態に係る電子機器システムの斜視図である。
【符号の説明】
【００４９】
１  電子機器システム、２  ＰＣＩバス、３  ＬＰＣバス、
１０  ポータブルコンピュータ、１１  本体、１１ａ  前面、１１ｂ  側面、
１１ｃ  底面、１１ｄ  上面、１１ｅ  背面、１２  表示部、１２ａ  ＬＣＤ、
１２ｂ  タブレット、１３  カーソルキー、１４Ａ  左クリックスイッチ、
１４Ｂ  右クリックスイッチ、１５  マイク、１６  電源スイッチ、１７  ＵＳＢ端子、１８  コネクタ、１９  係合穴部、２０  クレイドル装置、２１  筐体、２１ａ  側壁、
２１ｂ  前壁、２１ｃ  後壁、２１ｄ  上壁、２１ｅ  底壁、２１ｆ  補強片、
２２  スタンド、２２ａ  側壁、２２ｂ  前壁、２２ｃ  後壁、２２ｄ  底壁、
２２ｅ  開口、２２ｆ  開口、２２ｇ  位置決め突起、２３  磁気センサ、
４０  コネクタ、４０ａ  案内部、４１  台座、４２  磁気センサ、４３  コネクタ、
４４  プレート、４５  弾性体、５０  フック、５０ａ  ベース部、５０ｂ  爪部、
５０ｃ  軸部、５０ｄ  傾斜面、５０ｅ  水平面、５１  巻きバネ、
５１ａ，５１ｂ  端部、１１１  ＣＰＵ、１１２  ノースブリッジ、１１３  主メモリ、
１１４  グラフィックスコントローラ、１１６  サウスブリッジ、
１１７  ＵＳＢコントローラ、１２５  ネットワークコントローラ、
１２６  ＬＡＮポート、
１７０  エンベデッドコントローラ／キーボードコントローラＩＣ（ＥＣ／ＫＢＣ）、
１７２  レジスタ、１７３  磁性体、１８０  電源回路、１８１  バッテリ、
１８２  ＡＣアダプタ、２１１  スタッド、２１１ａ  ネジ穴、２１２  ネジ、
２１４  フック収納部、３００  メイン基板、３０１  電源端子部、３０２  ＵＳＢ端子、
３０３  ミニＵＳＢ端子、３０４  スペーサ、３０５  コネクタ、
３０６  フレキシブル配線基板、４００  サブ基板、４００ａ  取付け穴、
４００ｂ  位置決め穴
【図１】
2009157569.tif 000003
【図２】
2009157569.tif 000004
【図３】
2009157569.tif 000005
【図４】
2009157569.tif 000006
【図５】
2009157569.tif 000007
【図６】
2009157569.tif 000008
【図７】
2009157569.tif 000009
【図８】
2009157569.tif 000010
【図９】
2009157569.tif 000011
【図１０】
2009157569.tif 000012
【手続補正書】
【提出日】平成21年4月9日(2009.4.9)
【手続補正１】
【補正対象書類名】特許請求の範囲
【補正対象項目名】全文
【補正方法】変更
【補正の内容】
【特許請求の範囲】
【請求項１】
一端と、この一端と反対側の他端とを有し、かつ所定の幅の電子機器を搭載するための載置面を有した筐体と、
前記筐体の前記載置面側に設けられ、前記載置面の中心から前記載置面上を前記一端側に第１の距離だけ離れた位置に設けられた前記電子機器と接続するための外部接続端子と、
前記筐体の前記載置面側に設けられ、前記載置面の中心から前記載置面上を前記他端側に第２の距離だけ離れた位置に設けられた爪部を有する係止片と、
前記係止片の前記爪部を前記一端側に向けた状態で、前記係止片を前記載置面から前記他端側斜め方向に突出した第１の状態と前記載置面から起立状態で突出した第２の状態との間で、所定の力を加えながら前記第１の状態から第２の状態へ弾性的な回転力を付与するバネとを備え、
前記爪部は、前記電子機器が前記筐体に装着されることで前記係止片を前記第２の状態から前記第１の状態へ回転させる第１の面と、前記電気機器が前記他端側を中心に傾斜されつつ前記筐体から離脱されることで前記係止片を前記第２の状態から前記第１の状態へ回転させる第２の面とが形成されたことを特徴とする支持装置。
【請求項２】
前記筐体は、前記一端から前記他端へ向けて延設され、前記電子機器の前記所定の幅よりも広い幅を有した後壁と、この後壁の両端部に設けられた一対の側壁とを有することを特徴とする請求項１に記載の支持装置。
【請求項３】
前記一対の側壁における前記搭載面からの高さは、前記一端側の側壁の方が前記他端側の側壁よりも高いことを特徴とする請求項２に記載の支持装置。
【請求項４】
第１の面を有した第１の筐体と、前記第１の面側に設けられ、前記第１の面の中心から前記第１の面上を所定の方向に第１の距離だけ離れた位置に設けられた第１の外部接続端子と、前記第１の面に設けられ、前記中心から前記第１の面上を前記所定の方向とは反対の方向に第２の距離だけ離れた位置に設けられた係合穴部とを備えた電子機器と、
一端と、この一端と反対側の他端とを有し、かつ所定の幅の前記電子機器を搭載するための載置面を有した第２の筐体と、前記第２の筐体の前記載置面側に設けられ、前記載置面の中心から前記載置面上を前記一端側に第１の距離だけ離れた位置に設けられた前記電子機器と接続するための第２の外部接続端子と、前記第２の筐体の前記載置面側に設けられ、前記載置面の中心から前記載置面上を前記他端側に第２の距離だけ離れた位置に設けられた爪部を有する係止片と、前記係止片の前記爪部を前記一端側に向けた状態で、前記係止片を前記載置面から前記他端側斜め方向に突出した第１の状態と前記載置面から起立状態で突出した第２の状態との間で、所定の力を加えながら前記第１の状態から第２の状態へ弾性的な回転力を付与するバネとを備え、前記爪部は、前記電子機器が前記筐体に装着されることで前記係止片を前記第２の状態から前記第１の状態へ回転させる第１の面と、前記電気機器が前記他端側を中心に傾斜されつつ前記筐体から離脱されることで前記係止片を前記第２の状態から前記第１の状態へ回転させる第２の面とが形成された支持装置とを有する電子機器システム。
【手続補正３】
【補正対象書類名】明細書
【補正対象項目名】０００１
【補正方法】変更
【補正の内容】
【０００１】
本発明は、支持装置及び電子機器システムに関する。
【手続補正４】
【補正対象書類名】明細書
【補正対象項目名】０００５
【補正方法】変更
【補正の内容】
【０００５】
従って、本発明の目的は、電子機器を支持装置から取り外す際のコネクタへの負荷を軽
減することができる支持装置及び電子機器システムを提供することにある。
【手続補正５】
【補正対象書類名】明細書
【補正対象項目名】０００６
【補正方法】変更
【補正の内容】
【０００６】
本発明は、上記目的を達成するため、以下の支持装置及び電子機器システムを提供する。
【手続補正６】
【補正対象書類名】明細書
【補正対象項目名】０００７
【補正方法】変更
【補正の内容】
【０００７】
［１］一端と、この一端と反対側の他端とを有し、かつ所定の幅の電子機器を搭載するための載置面を有した筐体と、前記筐体の前記載置面側に設けられ、前記載置面の中心から前記載置面上を前記一端側に第１の距離だけ離れた位置に設けられた前記電子機器と接続するための外部接続端子と、前記筐体の前記載置面側に設けられ、前記載置面の中心から前記載置面上を前記他端側に第２の距離だけ離れた位置に設けられた爪部を有する係止片と、前記係止片の前記爪部を前記一端側に向けた状態で、前記係止片を前記載置面から前記他端側斜め方向に突出した第１の状態と前記載置面から起立状態で突出した第２の状態との間で、所定の力を加えながら前記第１の状態から第２の状態へ弾性的な回転力を付与するバネとを備え、前記爪部は、前記電子機器が前記筐体に装着されることで前記係止片を前記第２の状態から前記第１の状態へ回転させる第１の面と、前記電気機器が前記他端側を中心に傾斜されつつ前記筐体から離脱されることで前記係止片を前記第２の状態から前記第１の状態へ回転させる第２の面とが形成されたことを特徴とする支持装置。
【手続補正７】
【補正対象書類名】明細書
【補正対象項目名】０００８
【補正方法】変更
【補正の内容】
【０００８】
［２］第１の面を有した第１の筐体と、前記第１の面側に設けられ、前記第１の面の中心から前記第１の面上を所定の方向に第１の距離だけ離れた位置に設けられた第１の外部接続端子と、前記第１の面に設けられ、前記中心から前記第１の面上を前記所定の方向とは反対の方向に第２の距離だけ離れた位置に設けられた係合穴部とを備えた電子機器と、一端と、この一端と反対側の他端とを有し、かつ所定の幅の前記電子機器を搭載するための載置面を有した第２の筐体と、前記第２の筐体の前記載置面側に設けられ、前記載置面の中心から前記載置面上を前記一端側に第１の距離だけ離れた位置に設けられた前記電子機器と接続するための第２の外部接続端子と、前記第２の筐体の前記載置面側に設けられ、前記載置面の中心から前記載置面上を前記他端側に第２の距離だけ離れた位置に設けられた爪部を有する係止片と、前記係止片の前記爪部を前記一端側に向けた状態で、前記係止片を前記載置面から前記他端側斜め方向に突出した第１の状態と前記載置面から起立状態で突出した第２の状態との間で、所定の力を加えながら前記第１の状態から第２の状態へ弾性的な回転力を付与するバネとを備え、前記爪部は、前記電子機器が前記筐体に装着されることで前記係止片を前記第２の状態から前記第１の状態へ回転させる第１の面と、前記電気機器が前記他端側を中心に傾斜されつつ前記筐体から離脱されることで前記係止片を前記第２の状態から前記第１の状態へ回転させる第２の面とが形成された支持装置とを有する電子機器システム。
【手続補正８】
【補正対象書類名】明細書
【補正対象項目名】０００９
【補正方法】削除
【補正の内容】